(57)【特許請求の範囲】
【請求項１】
帯状の金属板をＵ字状に成形したクランプ板、及び該クランプ板のＵ字の基端と合わせて工具本体の外周に周設された凹溝を把持する円形状部を形成する一対のハンドルベースを備え、前記ハンドルベース間に間隙を有するリング状の締着部を前記凹溝に巻回させるとともに、
前記ハンドルベースを含む締着部の両端部をボルト部材に貫通させ、そのボルト部材の一端に螺合したナット部材を回動操作することで、前記締着部の少なくとも一方の端部を他方側へ接近或は離反させて前記ハンドルベース間の間隙の幅を変更し、前記リング状を拡縮させて工具本体への着脱を可能とした電動工具用サイドハンドルであって、
前記ボルト部材の一端に、前記締着部が前記凹溝から脱却しない状態で前記工具本体を回転自在に把持可能となる位置を限度として、前記ナット部材の緩め側の移動量を規制するストッパを設ける一方、
前記ボルト部材の一端であって前記ナット部材が螺合されていない側に、外周に切欠きを備えた大径の頭部を形成するとともに、該頭部が当接する側の前記クランプ板に切り起こし部を設け、前記頭部の切欠きを前記クランプ板の切り起こし部に嵌合させることによって前記ボルト部材を回り止めすることを特徴とする電動工具用サイドハンドル。
【発明の詳細な説明】
【０００１】
【発明の属する技術分野】
本発明は、電動ハンマーやハンマードリル等の電動工具において、工具本体の前方位置へ装着されるサイドハンドルに関する。
【０００２】
【従来の技術】
上記サイドハンドルは、電動工具のバレルを把持するリング形状の締着部と、その締着部へ連結されるグリップとからなり、これにはバレルへの装着状態で、締着部はバレルをきつく締め付けずに回転自在として、グリップを任意の角度で使用できるようにするタイプと、同じく装着状態で、締着部はバレルを締め付けて、グリップを当該位置で固定して使用するタイプとが存在している。これらは、例えば鉄筋等の障害物がある場合や壁際等でのハンマー作業で手の位置が邪魔になる時には、前者のフリータイプのサイドハンドルを、通常のハンマー作業や工具を横向きにして使う場合には後者の固定タイプのサイドハンドルをというように、夫々作業状態に合わせて使い分けられている。
【０００３】
【発明が解決しようとする課題】
このように従来は上記２種類のサイドハンドルを作業に合わせて使い分けるものであるから、作業が変わる度に対応するサイドハンドルに取り替える手間が生じ、作業性が非常に悪くなっている。
【０００４】
【課題を解決するための手段】
そこで本発明は、作業に合わせて取り替える手間を解消し、使い勝手を良くしたサイドハンドルを提供するもので、その構成は、帯状の金属板をＵ字状に成形したクランプ板、及び該クランプ板のＵ字の基端と合わせて工具本体の外周に周設された凹溝を把持する円形状部を形成する一対のハンドルベースを備え、前記ハンドルベース間に間隙を有するリング状の締着部を前記凹溝に巻回させるとともに、前記ハンドルベースを含む締着部の両端部をボルト部材に貫通させ、そのボルト部材の一端に螺合したナット部材を回動操作することで、前記締着部の少なくとも一方の端部を他方側へ接近或は離反させて前記ハンドルベース間の間隙の幅を変更し、前記リング状を拡縮させて工具本体への着脱を可能とした電動工具用サイドハンドルであって、前記ボルト部材の一端に、前記締着部が前記凹溝から脱却しない状態で前記工具本体を回転自在に把持可能となる位置を限度として、前記ナット部材の緩め側の移動量を規制するストッパを設ける一方、前記ボルト部材の一端であって前記ナット部材が螺合されていない側に、外周に切欠きを備えた大径の頭部を形成するとともに、該頭部が当接する側の前記クランプ板に切り起こし部を設け、前記頭部の切欠きを前記クランプ板の切り起こし部に嵌合させることによって前記ボルト部材を回り止めすることを特徴とするものである。
【０００５】
【発明の実施の形態】
以下本発明の実施の形態を図面に基づいて説明する。
図１，２は電動ハンマーに装着されるサイドハンドルの説明図で、サイドハンドル１は、電動ハンマーのバレル１４に周設した凹溝１４ａを把持可能な締着部２と、その締着部２の端部に設けられるグリップ３とからなり、締着部２は、帯状の金属板をＵ字状に成形したクランプ板４と、そのクランプ板４のＵ字の基端と合わせて凹溝１４ａを把持する円形状部を形成する一対のハンドルベース５，５とを有し、前記ハンドルベース５，５を、クランプ板４と共にセットボルト６に貫通させている。このセットボルト６の一端は、大径の頭部７が形成され、その外周に設けた切欠き７ａがクランプ板４の切り起こし部４ａに嵌合することで、セットボルト６の回り止めがなされる一方、他端は、ネジ部８が形成されて、そこに操作ツマミ９内に一体に設けたナット１０が螺合している。よって操作ツマミ９を回転操作すると、ナット１０のネジ送りによって、押圧部１１と共にクランプ板４への当接或は離反方向へ移動可能となっている。
又セットボルト６において、操作ツマミ９内へ突出するネジ部８の先端には、フラットワッシャー１２がボルト１３によって同軸で螺着されており、この状態でフラットワッシャー１２は、ナット１０のネジ部８からの脱却を防止するストッパとなると共に、ナット１０をフラットワッシャー１２に略当接するまで（図１の実線で示す位置）操作ツマミ９を緩めると、円形状部を拡大させる締着部２は、凹溝１４ａから脱却しない回転フリー状態でバレルを把持する位置設定となっている。
【０００６】
以上の如く構成されたサイドハンドル１は、操作ツマミ９をクランプ板４との離反方向へ緩めて締着部２の円形状部を拡大させ、そこに電動ハンマーのバレル１４を貫通させた後、凹溝１４ａの位置で操作ツマミ９を、クランプ板４との当接方向へ締め付けると、ネジ送りされる押圧部１１がクランプ板４の一端を押圧してハンドルベース５，５を図１の二点鎖線で示すように互いに接近させ、円形状部を縮小させるため、締着部２はバレル１４をしっかりと把持することができる。よってこの場合のサイドハンドル１は当該位置での固定状態で使用でき、通常時や横向きのハンマー作業等に至便となる。
一方ここから操作ツマミ９を緩めると、押圧部１１がクランプ板４の押圧を解くため、逆に円形状部が拡大し、締着部２はバレル１４をきつく締め付けず、凹溝１４ａに対して回転がフリーな状態で把持するものとなる。特にここでは、ナット１０がフラットワッシャー１２に略当接するまで操作ツマミ９を緩めると、締着部２が凹溝１４ａから脱却しないフリー状態となる設定としているため、作業者は操作ツマミ９の緩め過ぎやネジ部８からの脱却を心配したりすることなく、フラットワッシャー１２への当接を目安として回転フリー状態へ容易に切り換えることができる。
このように本実施の形態によれば、１つのサイドハンドルで、固定タイプと回転フリータイプの両方のタイプに使用できるのは勿論、その切り換えも、操作ツマミ９の締め込みと緩め操作のみで簡単に行うことができ、操作性の一層の向上が期待できるのである。
【０００７】
尚上記実施の形態では、ナット１０の抜け止めとしてフラットワッシャー１２を用いたが、これに限定するものでなく、フラットワッシャー１２に代えて割りピン等をネジ部先端へ直交状に挿着したり、操作ツマミの回転と干渉しないナットをストッパ用としてネジ部の先端に螺合したりする等種々の設計変更は可能である。
又締着部の具体的な構造も上記形態に限らず、ナット部材のねじ込みと緩め操作で把持状態を変更するタイプであれば、ハンドルベースの間にバレルを把持するリング状のクランプ板を設けたもの等でも本発明は適用可能である。
【０００８】
【発明の効果】
以上本発明によれば、１つのサイドハンドルで固定タイプと回転フリータイプの両方に使用できる合理的な構成となり、取り替え操作が解消されて良好な作業性が得られると共に、ハンドル兼用によるコストの低減も達成できる。特に回転フリー状態の設定がストッパを目安として簡単に行えることから、ナット部材の回転操作のみで締着状態の切換が可能となり、操作性の一層の向上と構造の簡略化が期待できるのである。
又、ボルト部材の頭部の外周には切欠きを、締着部には切欠きに嵌合可能な切り起こし部をそれぞれ設けているため、ボルト部材を回り止めすることができる。
【図面の簡単な説明】
【図１】サイドハンドルの説明図である。
【図２】バレルへ装着したサイドハンドルの説明図である。
【符号の説明】
１・・サイドハンドル、２・・締着部、３・・グリップ、４・・クランプ板、５・・ハンドルベース、６・・セットボルト、８・・ネジ部、９・・操作ツマミ、１０・・ナット、１２・・フラットワッシャー、１３・・ボルト。
【図１】
0003618870.tif 000002
【図２】
0003618870.tif 000003